(57)【特許請求の範囲】
【請求項１】
ＳＤＨ対応無線装置間でＳＴＭフレームを送受信する時に、前記ＳＴＭフレームのペイロード内の多重化データの先頭位置を示すポインタを基に、スタッフ操作を示すスタッフ判定ビットを形成し、該スタッフ判定ビットを前記ポインタとは別に、前記ＳＴＭフレームのセクションオーバヘッドの未使用又は未定義バイトに分散配置して送信する過程を含むことを特徴とするポインタ処理誤動作防止方法。
【請求項２】
ＳＤＨ対応無線装置間でＳＴＭフレームを送受信する時に、前記ＳＴＭフレームのペイロード内の多重化データの先頭位置を示すポインタを基に、スタッフ操作を示すスタッフ判定ビットを形成し、該スタッフ判定ビットを前記ポインタとは別に、前記ＳＴＭフレームに付加する無線伝送オーバヘッドに分散配置して送信する過程を含むことを特徴とするポインタ処理誤動作防止方法。
【請求項３】
ＳＤＨ対応無線装置間でＳＴＭフレームを送受信する時に、前記ＳＴＭフレームのペイロード内の多重化データの先頭位置を示すポインタを、該ＳＴＭフレームに付加する無線伝送オーバヘッドに複数配置して送信する過程と、
前記ＳＴＭフレームに含まれるポインタと、前記無線伝送オーバヘッドに配置された複数のポインタとを受信し、それらのポインタの間の多数決判定を行う過程と
を含むことを特徴とするポインタ処理誤動作防止方法。
【請求項４】
ＳＤＨ対応無線装置間でＳＴＭフレームを送受信する時に、前記ＳＴＭフレームのペイロード内の多重化データの先頭位置と共にスタッフ操作を示すポインタを受信し、該ポインタによりスタッフ操作の第１の判断を行う過程と、
前記ＳＴＭフレームのパスオーバヘッドのトレースシグナルとその受信期待値との比較を、スタッフ操作の有無に応じたバイト位置毎に行い、その一致不一致を検出する過程と、
前記スタッフ操作の第１の判断の結果と、前記トレースシグナルとその受信期待値との一致不一致の検出結果とに応じて、スタッフ操作の第２の判断を行う過程と
を含むことを特徴とするポインタ処理誤動作防止方法。
【請求項５】
搬送側処理部と無線側処理部とを含み、ＳＴＭフレームを無線で送受信するＳＤＨ対応無線装置において、
スタッフ処理部によるスタッフ操作に対応した前記ＳＴＭフレームのペイロード内の多重化データの先頭位置を示すポインタを基にスタッフ判定ビットを形成し、該スタッフ判定ビットを前記ポインタとは別にＳＴＭフレームのセクションオーバヘッド内の未使用又は未定義バイトに分散配置するスタッフ判定ビット多重部を備えたことを特徴とするＳＤＨ対応無線装置。
【請求項６】
搬送側処理部と無線側処理部とを含み、ＳＴＭフレームを無線で送受信するＳＤＨ対応無線装置において、
前記ＳＴＭフレームのスタッフ操作を示すスタッフ判定ビットを抽出するスタッフ情報抽出部と、
前記ＳＴＭフレームに無線伝送オーバヘッドを付加する無線フレームコンプリメンタリオーバヘッド多重部と、
前記スタッフ情報抽出部により抽出したスタッフ判定ビットを前記無線コンプリメンタリオーバヘッド多重部において付加した無線伝送オーバヘッドに分散配置するスタッフ判定ビット多重部と
を備えたことを特徴とするＳＤＨ対応無線装置。
【請求項７】
搬送側処理部と無線側処理部とを含み、ＳＴＭフレームを無線で送受信するＳＤＨ対応無線装置において、
送信側に、前記ＳＴＭフレームのペイロード内の多重化データの先頭位置を示すポインタを抽出するポインタ多重分離部と、
前記ＳＴＭフレームに無線伝送オーバヘッドを付加する無線フレームコンプリメンタリオーバヘッド多重部と、
前記ポインタ多重分離部により抽出したポインタを、前記無線コンプリメンタリオーバヘッド多重部において付加した無線伝送オーバヘッドに複数配置するポインタ多重部とを備え、
受信側に、前記無線伝送オーバヘッドに配置された複数のポインタを抽出するポインタ多重分離部と、
前記ＳＴＭフレームに含まれるポインタを抽出するポインタバイト多重分離部と、
前記無線伝送オーバヘッドに配置された複数のポインタと前記ＳＴＭフレームに含まれるポインタとの間の多数決判定を行うポインタバイト多数決判定部と
を備えたことを特徴とするＳＤＨ対応無線装置。
【請求項８】
搬送側処理部と無線側処理部とを含み、ＳＴＭフレームを無線で送受信するＳＤＨ対応無線装置において、
前記ＳＴＭフレームのペイロード内の多重化データの先頭位置を示すポインタを抽出するポインタ多重分離部と、
該ポインタによりスタッフ操作の判断を行う第１のスタッフ判断部と、
前記ＳＴＭフレームのパスオーバヘッドのトレースシグナルとその受信期待値との比較をスタッフ操作の有無に応じたバイト位置毎に行う比較部と、
該比較部の比較結果により、前記トレースシグナルとその受信期待値との一致不一致を、スタッフ操作の有無に応じたバイト位置毎に検出する一致検出部と、
前記第１のスタッフ判断部の判断結果と、前記トレースシグナルとその受信期待値との一致不一致の検出結果とに応じて、スタッフ操作の判断を行う第２のスタッフ判断部と
を備えたことを特徴とするＳＤＨ対応無線装置。
【発明の詳細な説明】
【０００１】
【発明の属する技術分野】
本発明は、ＳＤＨ（Synchronous Digital Hierarchy ：同期ディジタルハイアラーキ）伝送システムに於けるポインタ処理誤動作防止方法及びＳＤＨ対応無線装置に関する。
近年、光ファイバーによるＳＤＨネットワークが構築されつつあるが、ディジタル多重無線システムにおいてもＳＤＨ化が進められ、ＳＤＨインタフェースに準拠した安定性の高い高品質のデータ伝送機能を有するＳＤＨ対応の無線装置が、ＳＤＨネットワークの構築に不可欠であり、誤動作が生じない構成が要望されている。
【０００２】
【従来の技術】
図１６はＳＤＨインタフェース対応の無線装置の構成を示す図であり、１６−１はＳＤＨ伝送システムの搬送装置、１６−２，１６−３はＳＤＨインタフェース対応の無線装置、１６−４は対向するＳＤＨ伝送システムの搬送装置である。
【０００３】
搬送装置１６−１，１６−４と無線装置１６−２，１６−３との間は、光信号又は電気信号を伝送する光ケーブル又は同軸ケーブル等のケーブルにより接続され、又無線装置１６−２，１６−３間は無線回線で接続される。この無線回線においては、無線区間の無線伝送オーバヘッド（ＲＦＣＯＨ；Radio Frame Complementary Overhead）が付加されて伝送される。
【０００４】
図１７はＳＤＨインタフェース対応の無線装置の要部説明図であり、図１６に於ける無線装置１６−２，１６−３の要部説明図である。１７−１は搬送側同期物理インタフェース（ＳＰＩ；SDH Physical Interface）部、１７−２は搬送側中継セクションオーバヘッド（ＲＳＯＨ；Regenerator Section Over Head ）処理部、１７−３は搬送側多重セクションオーバヘッド（ＭＳＯＨ；Multiplex Section Over Head ）処理部、１７−４は搬送側管理ユニット（ＡＵ；Administrative Unit ）ポインタ処理部、１７−５は無線側管理ユニット（ＡＵ）ポインタ処理部、１７−６は無線側多重セクションオーバヘッド（ＭＳＯＨ）処理部、１７−７は無線側中継セクションオーバヘッド（ＲＳＯＨ）処理部、１７−８はモデム（ＭＯＤＥＭ）、１７−９は無線送受信部（ＴＸ／ＲＸ）、１７−１０は搬送側処理部、１７−１１は無線側処理部であり、無線送受信のアンテナは図示を省略している。
【０００５】
搬送側同期物理インタフェース（ＳＰＩ）部１７−１は、ＳＤＨ伝送システムの搬送装置１６−1 、１６−４との間の光又は電気信号送受のためのインタフェースである。搬送側中継セクションオーバヘッド（ＲＳＯＨ）処理部１７−２、搬送側多重セクションオーバヘッド（ＭＳＯＨ）処理部１７−３及び搬送側管理ユニット（ＡＵ）ポインタ処理部１７−４は、例えば、ＳＴＭ−１フレームフォーマット等により、ＳＤＨ伝送システムの搬送装置とデータの送受信を行う。
【０００６】
ＳＤＨ伝送システムは、標準化されたＳＴＭ(Synchronous Transfer Mode；同期転送モード) フレームフォーマットによりディジタル信号を伝送する。この場合、例えば、ＳＴＭ−１（１５５Ｍｂｐｓ）フレームフォーマットは、９バイト×９行のセクションオーバヘッド（ＳＯＨ；Section Over Head)と２６１バイト×９行のペイロードとから構成される。
【０００７】
図１８の（Ａ）はＳＴＭ−１のフレームフォーマットを示す図である。セクションオーバヘッド（ＳＯＨ）１８−１のＡ１，Ａ２はフレーム同期バイト、Ｊ０はＳＴＭフレーム識別バイト、Ｂ１，Ｂ２は誤り監視バイト、Ｅ１，Ｅ２は保守者音声打合せバイト、Ｆ１はユーザチャネルバイト、Ｄ１〜Ｄ１２はデータコミュニケーションチャネルバイト、Ｈ１，Ｈ２はポインタバイト、Ｈ３はスタッフ操作バイト、Ｋ１は切換え制御バイト、Ｋ２はセクション警報表示バイト、Ｓ１は同期クロッククォリティバイト、Ｍ１は誤り通知バイトである。又ＲＳＯＨは中継セクションオーバヘッド、ＭＳＯＨは多重セクションオーバヘッドである。なお、Ｈ１，Ｈ２，Ｈ３バイトが格納される部分をＡＵポインタ部と称す。
【０００８】
図１８の（Ｂ）は、ポインタバイトＨ１，Ｈ２バイトの説明図である。ポインタバイトＨ１，Ｈ２は、４ビットのニューデータフラグ（ＮＤＦ）Ｎと、２ビットのＳＳビットと、Ｉ，Ｄビットからなる１０ビットのポインタ値を示すビットとにより構成される。
【０００９】
４ビット構成のニューデータフラグ（ＮＤＦ）Ｎは、ポインタ値が変更されたこと等を示すＮＤＦＥＮ信号（例えば、１００１）、又はポインタ値の変更がないことを示すＮＯＲＮＤＦ信号（例えば、０１１０）の伝送に用いられる。
【００１０】
又２ビット構成のＳＳビットは、無効ポインタの検出に用いられ、送信側から設定値又は固定値を送信し、受信側は受信したＳＳビットを前記設定値又は固定値と比較することにより、無効ポインタ検出を行う。
【００１１】
又１０ビットのポインタ値を示すビットは、５ビット分のＩビット及び５ビット分のＤビットとが交互配置されて構成され、ペイロード内の多重化データの先頭位置を示すとともにスタッフ操作の制御に用いられる。
【００１２】
又２６１バイト×９行のペイロード１８−２には、３バイト単位の任意の位置を先頭にしてデータが格納される。そのペイロード内の先頭データ（Ｊ１バイト）の位置が、１０ビットのポインタ値‘０’〜‘７８２’によって示される。
【００１３】
このポインタバイトＨ１，Ｈ２の１０ビットのポインタ値を示すビットは、ペイロードの先頭データ位置を示す外に、スタッフ操作の制御に用いられる。スタッフ操作には、ペイロードに３バイトのスタッフバイトを挿入するポジティブスタッフと、ペイロードの３バイトのデータを、ＡＵポインタ部のスタッフ操作バイトＨ３＃１〜Ｈ３＃３の３バイトの位置に引き込むネガティブスタッフの二つのスタッフ操作がある。
【００１４】
前記１０ビットのポインタ値を示すビットの内の５個のＩビットは、ポジティブスタッフ操作を行うときに使用され、ポジティブスタッフ操作を行うときは、送信側は１フレーム前の５個のＩビットを反転したビットをＩビットとして送信することにより、ペイロードの先頭データ位置が３バイト分増加することを示すインクリメント表示を行い、ペイロードに３バイトのスタッフバイトを挿入してＳＴＭ−１フレーム信号を送信する。
【００１５】
又、前記１０ビットのポインタビットの内の５個のＤビットは、ネガティブスタッフ操作を行うときに使用され、ネガティブスタッフ操作を行うときは、送信側は１フレーム前の５個のＤビットを反転したビットをＤビットとして送信することにより、ペイロードの先頭データ位置が３バイト分減少することを示すデクリメント表示を行い、ペイロードの３バイトのデータをＡＵポインタ部のスタッフ操作バイトＨ３＃１〜Ｈ３＃３に引き込んでＳＴＭ−１フレーム信号を送信する。
【００１６】
受信側は、前記ポインタバイトＨ１，Ｈ２を調べ、１０ビットのポインタ値を示すビットが３フレーム以上連続して同一の値であるとき、ペイロードの先頭データ位置を示す正しいポインタとして認識する。従って、Ｉ，Ｄビットからなる１０ビットのポインタビットは、スタッフ操作として使用されても、ペイロードの先頭データ位置を示すポインタ値が誤って認識されることはない。
【００１７】
又前記１０ビットのポインタ値を示すビットの５個のＩビットの内、３個以上のＩビットが１フレーム前のＩビットを反転したビットであり、且つ５個のＤビットの内、１フレーム前のＤビットから反転したビットが２個以下であるとき、ポジティブスタッフ操作が行われたと判定し、送信側で挿入されたスタッフバイトを読み込まないようペイロードデータを受信処理する。
【００１８】
又前記１０ビットのポインタ値を示すビットの５個のＤビットの内、３個以上のＤビットが１フレーム前のＤビットを反転したビットであり、且つ５個のＩビットの内、１フレーム前のＩビットから反転したビットが２個以下であるとき、ネガティブスタッフ操作が行われたと判定し、受信側ではＡＵポインタ部のスタッフ操作バイトＨ３＃１〜Ｈ３＃に格納されたデータをペイロードデータとともに読出して受信処理する。
【００１９】
【発明が解決しようとする課題】
前述したようにポインタバイトＨ１，Ｈ２は、ペイロード内の多重化データの先頭位置を示すとともに、ポインタ値を示すビットの反転によりスタッフ操作の有無を表示する。そして、図１８の（Ａ）のＳＴＭ−１のフレームフォーマットに示すとおり、ポインタバイトＨ１，Ｈ２はセクションオーバヘッド（ＳＯＨ）１８−１内に一箇所に集中的に配置されているため、ポインタバイトＨ１，Ｈ２にバースト性の伝送誤りが発生すると、ポインタ値が誤って判定され、ペイロード内の多重化データの先頭位置を正しく識別できなくなる。即ち、ポインタ処理に誤動作が生じる問題がある。
【００２０】
図１９はポインタ処理に影響するバースト誤りの説明図であり、（Ａ）はペイロードとポインタバイトＨ１＃１とにバースト誤りが発生した例を示し、又（Ｂ）はポインタバイトＨ１＃１を含むセクションオーバヘッドＳＯＨにバースト誤りが発生した例を示す。
【００２１】
図１９の（Ａ）及び（Ｂ）に示すように、ニューデータフラグＮと１０ビットのポインタ値を示すビット（Ｉ，Ｄ）とを含む領域にバースト誤りが発生すると、受信側においてポインタ値の変更を示すＮＤＦＥＮ（ＮＤＦ Enable)信号（例えば、１００１）を受信し、ポインタ値が変更されたと判定して誤った値に更新してしまうことがある。
【００２２】
図２０はスタッフ処理に影響するバースト誤りの説明図であり、（Ａ）は、ポインタ値を示すビット（Ｉ，Ｄ）に３ビット以上のＩビットが含まれる部分にバースト誤りが発生した例を示し、（Ｂ）は３ビット以上のＤビットが含まれる部分にバースト誤りが発生した例を示す。
【００２３】
３ビット以上のＩビット又は３ビット以上のＤビットに亙ってバースト誤りが発生すると、受信側においては、前述したスタッフ操作が行われたことを示す条件が満足されたと判断して誤ったスタッフ処理を行ってしまう問題がある。
【００２４】
バースト性の伝送誤りは、電波の反射や回折によって電波が互いに干渉して極端に減衰してしまう所謂フェージング等の不規則な回線劣化を引き起こす無線回線において特に発生し易い。このようなバースト性の伝送誤りが発生すると、連続した数十ビットに同時に伝送誤りを生じ、集中配置されているポインタバイトＨ１，Ｈ２の部分に、バースト性の伝送誤りが発生すると、ポインタ値に誤りを生じ、受信側におけるポインタ処理及びスタッフ処理が正しく行われない問題がある。
【００２５】
前記ＳＴＭ−１フレームフォーマットはＩＴＵ−Ｔ（International Telecommunication Union Telecommunication Standardization Sector）で規定されているため独自に変更することはできない。又、搬送装置１６−１と前記無線装置１６−２は、必ずしも一体の製品として製造されたものが用られてネットワークが構成されるとは限らないので、図１７に示す搬送側ＡＵポインタ処理部１７−４におけるＡＵポインタ部の配置は、ＩＴＵ−Ｔに規定されたフォーマットのとおりにする必要がある。
【００２６】
無線装置１６−２，１６−３間の無線区間に於けるフォーマットは、ＳＤＨフォーマットを基準とするが、前述のように、無線伝送オーバヘッドＲＦＣＯＨを付加することができる。又ＳＤＨフォーマットにおいても、セクションオーバヘッドＳＯＨには未使用バイトが含まれている。
本発明は、無線伝送オーバヘッドＲＦＣＯＨやＳＤＨフォーマットのセクションオーバヘッドＳＯＨの未使用又は未定義バイト等を利用して、バースト性の伝送誤りによるポインタ処理の誤動作を低減させることを目的とする。
【００２７】
【課題を解決するための手段】
本発明のポインタ処理誤動作防止方法は、（１）ＳＤＨ対応無線装置間でＳＴＭフレームを送受信する時に、ＳＴＭフレームのペイロード内の多重化データの先頭位置を示すポインタを、ＳＴＭフレームのセクションオーバヘッド（ＳＯＨ）内の未使用又は未定義バイトに分散配置して送信する過程を含むものである。従って、バースト誤りが発生しても、分散配置されたポインタを受信側で抽出することにより、本来のポインタと同一のポインタを復元することができ、ポインタ処理の誤動作を低減させることができる。
【００２８】
又（２）ＳＤＨ対応無線装置間でＳＴＭフレームを送受信する時に、ＳＴＭフレームのペイロード内の多重化データの先頭位置を示すポインタを、ＳＴＭフレームに付加する無線伝送オーバヘッドに分散配置して送信する過程を含むものである。無線伝送オーバヘッド（ＲＦＣＯＨ）は、無線区間のみに付加されるものであり、ポインタを分散配置することにより、受信側ではバースト誤りが発生しても、ポインタを復元することができ、ポインタ処理の誤動作を低減させることができる。
【００２９】
又（３）ＳＤＨ対応無線装置間でＳＴＭフレームを送受信する時に、ＳＴＭフレームのペイロード内の多重化データの先頭位置を示すポインタバイトを基に、スタッフ操作を示すスタッフ判定ビットを形成し、該スタッフ判定ビットを前記ポインタとは別に、前記ＳＴＭフレームのセクションオーバヘッド（ＳＯＨ）の未使用又は未定義バイトに分散配置して送信する過程を含むものである。従って、バースト誤りが発生しても、スタッフ判定ビットを復元することができ、スタッフ処理を含むポインタ処理の誤動作を低減させることができる。
【００３０】
又（４）ＳＤＨ対応無線装置間でＳＴＭフレームを送受信する時に、ＳＴＭフレームのペイロード内の多重化データの先頭位置を示すポインタを基に、スタッフ操作を示すスタッフ判定ビットを形成し、該スタッフ判定ビットを前記ポインタとは別に、ＳＴＭフレームに付加する無線伝送オーバヘッド（ＲＦＣＯＨ）に分散配置して送信する過程を含むものである。従って、バースト誤りが発生しても、スタッフ判定ビットを復元することができ、スタッフ処理を含むポインタ処理の誤動作を低減させることができる。
【００３１】
又（５）ＳＤＨ対応無線装置間でＳＴＭフレームを送受信する時に、ＳＴＭフレームのペイロード内の多重化データの先頭位置を示すポインタを、該ＳＴＭフレームに付加する無線伝送オーバヘッドに複数配置して送信する過程と、ＳＴＭフレームに含まれるポインタと無線伝送オーバヘッドに配置された複数のポインタとを受信し、それらのポインタの間の多数決判定を行う過程とを含むものである。従って、バースト誤りが発生しても、正しいポインタを検出することができ、ポインタ処理の誤動作を低減させることができる。
【００３２】
又（６）ＳＤＨ対応無線装置間でＳＴＭフレームを送受信する時に、ＳＴＭフレームのペイロード内の多重化データの先頭位置と共にスタッフ操作を示すポインタを受信し、該ポインタによりスタッフ操作の第１の判断を行う過程と、ＳＴＭフレームのパスオーバヘッドのトレースシグナルとその受信期待値との比較を、スタッフ操作の有無に応じたバイト位置毎に行い、その一致不一致を検出する過程と、前記スタッフ操作の第１の判断の結果と、前記トレースシグナルとその受信期待値との一致不一致の検出結果とに応じて、スタッフ操作の第２の判断を行う過程とを含むものである。従って、スタッフ判定に誤りに対する保護を行うことができ、バースト誤りが発生しても、スタッフ処理を含むポインタ処理の誤動作を低減させることができる。
【００３３】
又本発明のＳＤＨ対応無線装置は、（７）搬送側処理部と無線側処理部とを含み、ＳＴＭフレームを無線で送受信するＳＤＨ対応無線装置であって、ＳＴＭフレームのペイロード内の多重化データの先頭位置を示すポインタを、該ＳＴＭフレームのセクションオーバヘッド（ＳＯＨ）内の未使用又は未定義バイトに分散配置するポインタビット配置変換部と、ＳＴＭフレームの少なくとも１フレーム分蓄積するフレームメモリ部と、このフレームメモリ部からのＳＴＭフレームに、ポインタビット配置変換部により分散配置されたポインタを多重化するポインタ多重部とを備えている。
【００３４】
又（８）ＳＴＭフレームに無線伝送オーバヘッドを付加する無線フレームコンプリメンタリオーバヘッド多重部と、ＳＴＭフレームのペイロード内の多重化データの先頭位置を示すポインタを抽出するポインタ多重分離部と、無線フレームコンプリメンタリオーバヘッド多重部において付加した前記無線伝送オーバヘッドに、ポインタ多重分離部において抽出したポインタを分散配置するポインタ多重部とを備えた構成とすることができる。
【００３５】
又（９）スタッフ処理部によるスタッフ操作に対応した前記ＳＴＭフレームのペイロード内の多重化データの先頭位置を示すポインタを基にスタッフ判定ビットを形成し、該スタッフ判定ビットを前記ポインタとは別に、ＳＴＭフレームのセクションオーバヘッド内の未使用又は未定義バイトに分散配置するスタッフ判定ビット多重部を備えた構成とすることができる。
【００３６】
又（１０）ＳＴＭフレームのスタッフ操作を示すスタッフ判定ビットを抽出するスタッフ判定ビット抽出部と、ＳＴＭフレームに無線伝送オーバヘッドを付加する無線フレームコンプリメンタリオーバヘッド多重部と、スタッフ判定情報抽出部により抽出したスタッフ判定ビットを、無線コンプリメンタリオーバヘッド多重部において付加した無線伝送オーバヘッドに分散配置するスタッフ判定ビット多重部とを備えることができる。
【００３７】
又（１１）送信側に、ＳＴＭフレームのペイロード内の多重化データの先頭位置を示すポインタを抽出するポインタ多重分離部と、ＳＴＭフレームに無線伝送オーバヘッドを付加する無線フレームコンプリメンタリオーバヘッド多重部と、ポインタ多重分離部により抽出したポインタを、無線コンプリメンタリオーバヘッド多重部において付加した無線伝送オーバヘッドに複数配置するポインタ多重部とを備え、受信側に、無線伝送オーバヘッドに配置された複数のポインタを抽出するポインタ多重分離部と、ＳＴＭフレームに含まれるポインタを抽出するポインタバイト多重分離部と、無線伝送オーバヘッドに配置された複数のポインタとＳＴＭフレームに含まれるポインタとの間の多数決判定を行うポインタバイト多数決判定部とを備えることができる。
【００３８】
又（１２）ＳＴＭフレームのペイロード内の多重化データの先頭位置を示すポインタを抽出するポインタ多重分離部と、該ポインタによりスタッフ操作の判断を行う第１のスタッフ判断部と、ＳＴＭフレームのパスオーバヘッドのトレースシグナルとその受信期待値との比較をスタッフ操作の有無に応じたバイト位置毎に行う比較部と、該比較部の比較結果により、前記トレースシグナルとその受信期待値との一致不一致を、スタッフ操作の有無に応じたバイト位置毎に検出する一致検出部と、前記第１のスタッフ判断部の判断結果と、前記トレースシグナルとその受信期待値との一致不一致の検出結果とに応じて、スタッフ操作の判断を行う第２のスタッフ判断部とを備えることができる。
【００３９】
【発明の実施の形態】
図１は本発明の第１の実施の形態のポインタ配置を示す図である。同図の（Ａ）はＳＴＭ−１フレームフォーマットを示し、このＳＴＭ−１フレームのセクションオーバヘッド（ＳＯＨ）の未使用又は未定義のバイトのＥ１＃３，Ｄ２＃３，Ｈ２＃３，Ｋ１＃３，Ｄ５＃３，Ｄ８＃３，Ｄ１１＃３に、Ｈ１，Ｈ２，Ｈ３バイトによるポインタを分散させて配置する。
【００４０】
又図１の（Ｂ）は、前記バイトＥ１＃３，Ｄ２＃３，Ｈ２＃３，Ｋ１＃３，Ｄ５＃３，Ｄ８＃３，Ｄ１１＃３に配置したポインタのビット配置を示し、ニューデータフラグ（ＮＮＮＮ），ＳＳビット（ＳＳ），ポインタビット（ＩＤＩＤＩＤＩＤＩＤ）を、前記バイト位置Ｅ１＃３，Ｄ２＃３，Ｈ２＃３，Ｋ１＃３，Ｄ５＃３，Ｄ８＃３，Ｄ１１＃３の中にさらに分散せて配置する。例えば、Ｅ１＃３バイトとＤ２＃３バイトとの第１，第３ビットにニューデータフラグビット、第５ビットにＳＳビットを配置し、Ｈ２＃３，Ｋ１＃３，Ｄ５＃３，Ｄ８＃３，Ｄ１１＃３バイトの第１ビットにＩビット、第５ビットにＤビットを配置することができる。
【００４１】
従って、ＳＴＭ−１フレームの標準フォーマットを維持したまま、ポインタバイトが分散されると共にポインタバイト内の個々のビットも分散配置されるので、バースト誤りが発生しても、ポインタバイトの極一部のビットにのみ誤りが生じるだけであり、誤ったポインタ値によるポインタ処理の誤動作を低減することができる。この場合、分散配置されたポインタビットを受信側で抽出し、ポインタバイトを再構築し、セクションオーバヘッドのＡＵポインタ部のポインタバイトＨ１〜Ｈ３バイトと照合し、誤りチェックすることもできる。前述の分散配置に使用した未使用バイト或いは未定義バイトは一例に過ぎず、それ以外の未使用バイトやビット或いは未定義バイトを利用することも当然可能であり、更に、ＳＴＭ−１フレーム以外のＳＴＭ−ｎフレーム（ｎ＝４，１６，・・・）にも適用することができる。
【００４２】
図２は本発明の第１の実施の形態のＳＤＨ対応無線装置の要部説明図であり、２−１は送信ポインタ処理／スタッフ処理部、２−２はポインタ配置変換部、２−３はフレームメモリ部、２−４はポインタ多重部、２−５はポインタ多重分離部、２−６はポインタバイト再構築部、２−７はフレームメモリ部、２−８は受信ポインタ処理／デスタッフ処理部、２−１０は搬送側処理部、２−１１は無線側処理部、２−１２はモデム（ＭＯＤＥＭ）、２−１３は無線送受信部（ＴＸ／ＲＸ）、２−１４は無線側ＡＵポインタ処理部、２−１５は無線側多重セクションオーバヘッド（ＭＳＯＨ）処理部、２−１６は無線側中継セクションオーバヘッド（ＲＳＯＨ）処理部である。
【００４３】
搬送側処理部２−１０，モデム２−１２，無線送受信部２−１３及び無線側処理部２−１１のＭＳＯＨ処理部２−１５とＲＳＯＨ処理部２−１６とは、図１７に示す従来例の搬送側処理部１７−１０，モデム１７−８，無線送受信部１７−９及び無線側処理部１７−１１のＭＳＯＨ処理部１７−６とＲＳＯＨ処理部１７−７と同一の構成とすることができる。
【００４４】
この実施の形態に於いては、ＡＵポインタ処理部２−１４に於いて、ポインタをセクションオーバヘッドの未使用又は未定義のバイトに分散配置して送信し、又受信フレームについてポインタの再構築を行う構成を示す。
【００４５】
即ち、送信ポインタ処理／スタッフ処理部２−１は、搬送側処理部２−１０から入力されたＳＴＭ−１信号に対し従来と同様のポインタ処理及びスタッフ処理を行い、送出するポインタ値を算出してポインタ配置変換部２−２に出力し、ポインタ配置変換部２−２は入力されたＳＴＭ−１信号のポインタを、例えば、図１の（Ａ），（Ｂ）に示すように、セクションオーバヘッド（ＳＯＨ）のＥ１＃３，Ｄ２＃３，Ｈ２＃３，Ｋ１＃３，Ｄ５＃３，Ｄ８＃３，Ｄ１１＃３のバイト位置に分散して配置されるようポインタ多重部２−４に出力する。
【００４６】
送信側のフレームメモリ部２−３は、入力されたＳＴＭ−１信号を１フレーム分蓄積してポインタ多重部２−４に出力するもので、ポインタ多重部２−４はフレームメモリ部２−３からの出力に、ポインタ配置変換部２−２からのポインタビット信号を多重し、ポインタがセクションオーバヘッドＳＯＨの未使用又は未定義バイトに分散配置されたＳＴＭ−１信号を出力する。
【００４７】
又受信側において、ＲＳＯＨ処理部２−１６，ＭＳＯＨ処理部２−１５を介して入力されたＳＴＭ−１信号は、フレームメモリ部２−７により１フレーム分蓄積され、又ポインタ多重分離部２−５によりＳＴＭ−１信号のセクションオーバヘッドＳＯＨに分散配置されたポインタが分離されてポインタバイト再構築部２−６に送出され、ポインタバイト再構築部２−６は、ポインタ多重分離部２−５により多重分離されたポインタビットからポインタバイトを再構築する。
【００４８】
ポインタバイト再構築部２−６からの出力とフレームメモリ部２−７からの出力は、受信ポインタ処理／デスタッフ処理部２−８に入力され、該受信ポインタ処理／デスタッフ処理部２−８は、再構築されたポインタバイトをもとに従来と同様のポインタ処理及びデスタッフ処理を行い、該ポインタバイトからポインタ値を算出し、フレームメモリ部２−７から出力されるＳＴＭ−１信号のペイロード内の多重化データの先頭位置を判別する。ポインタバイト再構築後の処理は、従来の処理と同様である。
【００４９】
図３は本発明の第２の実施の形態のポインタ配置を示す図である。図において３−１は１フレーム分の無線伝送フレームを示し、該無線伝送フレーム３−１は前記ＳＴＭ−１のフレームに、無線伝送オーバーヘッドである無線フレームコンプリメンタリオーバヘッド（ＲＦＣＯＨ；Radio Frame Complementary Over Head ) ３−２を付加したものである。３−３は無線フレームコンプリメンタリオーバヘッド（ＲＦＣＯＨ）３−２に分散配置したポインタを示す。
【００５０】
無線伝送フレーム３−１は複数のサブフレームに分割され、各サブフレームには無線フレームコンプリメンタリオーバヘッド（ＲＦＣＯＨ）（図において‘Ｓ’の記号で示している。）３−２が付加される。そして各サブフレームの無線フレームコンプリメンタリオーバヘッド（ＲＦＣＯＨ）３−２に、例えば、第１，第５，第９，第１３，第１７のサブフレームにフレーム同期用ビット、第２，第４，第６，第８，第１０，第１２，第１４，第１６，第１８，第２０，第２２，第２４，第２６，第２８，第３０，第３２のサブフレームにポインタ３−３を配置し、第３，第７，第１１，第１５，第１９，第２３，第２７，第３１，第３５のサブフレームにディジタルサービスチャネルを割り当てる。
【００５１】
上記のようにポインタ３−３を配置することにより、ポインタ３−３は、１フレームの無線伝送フレーム３−１内に分散して配置されたことになる。従って、バースト誤りによる影響を低減し、ポインタ処理の誤動作を低減させることができる。
【００５２】
図４は本発明の第２の実施の形態の無線側ＡＵポインタ処理部の構成を示す図であり、図２の無線側ＡＵポインタ処理部２−１４に対応する部分を示し、無線装置としての他の部分は図示を省略している。同図の（Ａ）は送信側の構成を示す図であり、４−１は送信ポインタ処理／スタッフ処理部、４−２は無線伝送の伝送速度に変換する速度変換部、４−３は無線フレームコンプリメンタリオーバヘッド（ＲＦＣＯＨ）多重部、４−４はポインタ多重分離部、４−５はポインタ多重部である。
【００５３】
又図４の（Ｂ）は受信側の構成を示す図であり、４−６は無線フレームコンプリメンタリオーバヘッド（ＲＦＣＯＨ）多重分離部、４−７はポインタ多重分離部、４−８は無線伝送の伝送速度を元のＳＴＭ−１の伝送速度に変換する速度変換部、４−９はポインタ再構築部、４−１０は受信ポインタ処理／デスタッフ処理部ある。
【００５４】
図４において、送信ポインタ処理／スタッフ処理部４−１は、図示を省略した搬送側処理部から入力されたＳＴＭ−１信号に対し従来と同様のポインタ処理及びスタッフ処理を行い、速度変換部４−２は、ＳＴＭ−１信号をフレーム単位で無線伝送の伝送速度に変換し、無線フレームコンプリメンタリオーバヘッド（ＲＦＣＯＨ）多重部４−３は、速度変換されたＳＴＭ−１信号に無線伝送オーバヘッド、即ち、無線フレームコンプリメンタリオーバヘッド（ＲＦＣＯＨ）を付加する。
【００５５】
又、ポインタ多重分離部４−４は、ＳＴＭ−１信号からポインタバイトを抽出し、該ポインタバイトをポインタ多重部４−５に送出し、ポインタ多重部４−５は、ポインタバイトが、無線フレームコンプリメンタリオーバヘッド（ＲＦＣＯＨ）にビット単位に、例えば、図３に示すように、無線フレームコンプリメンタリオーバヘッド（ＲＦＣＯＨ）内のポインタビット位置に分散配置する。この無線フレームコンプリメンタリオーバヘッド（ＲＦＣＯＨ）を付加したＳＴＭ−１フレームを、図示を省略した無線送受信部から送信する。
【００５６】
図４の（Ｂ）に示す受信側において、無線フレームコンプリメンタリオーバヘッド（ＲＦＣＯＨ）多重分離部４−６は、図示を省略した無線送受信部において送受信される無線伝送フレーム信号から無線フレームコンプリメンタリオーバヘッド（ＲＦＣＯＨ）を分離し、ポインタ多重分離部４−７は分散配置されている無線フレームコンプリメンタリオーバヘッド（ＲＦＣＯＨ）内のポインタを分離し、ポインタ再構築部４−９は分離したポインタからポインタバイトを再構築する。
【００５７】
又、速度変換部４−８は、送信側の速度変換部４−２と逆の処理を行うものであり、フレーム単位に無線伝送速度をＳＴＭ−１信号の速度に変換し、受信ポインタ処理／デスタッフ処理部４−１０は、該ＳＴＭ−１信号及び前記再構築したポインタバイトの入力信号に対して従来と同様のポインタ処理及びデスタッフ処理を行う。再構築したポインタバイトからポインタ値を算出し、ＳＴＭ−１信号のペイロード内の多重化データの先頭位置を判別する。
【００５８】
図５は本発明の第３の実施の形態のスタッフ判定ビットの配置を示す図である。同図の（Ａ）はＳＴＭ−１フレームフォーマットを示し、該ＳＴＭ−１フレームのセクションオーバヘッド（ＳＯＨ）の未使用又は未定義のバイトの例えばＥ１＃３，Ｄ２＃３に、ポインタバイトを基に形成したスタッフ判定ビットを配置したものである。
【００５９】
又同図の（Ｂ）は前記バイト位置Ｅ１＃３，Ｄ２＃３に分散配置したスタッフ判定ビット（ＩＤＩＤＩＤＩＤＩＤＩＤＩＤＩＤ）を示す。即ち、ポインタ値を示す１０ビットのＩ，Ｄビットは、同時にスタッフ判定ビットを形成し、前述したように、これらのＩ，Ｄビットは、ネガティブスタッフとポジティブスタッフのスタッフ操作の有無の判定に用いられるビットである。この発明の実施の形態は、ＩビットとＤビットとからなる１０ビットのスタッフ判定ビットをポインタバイトＨ１，Ｈ２とは別にセクションオーバヘッド（ＳＯＨ）の未使用又は又は未定義領域に分散配置することにより、バースト誤りによるポインタ処理の誤動作を低減させるものである。
【００６０】
図６は本発明の第３の実施の形態の無線側ＡＵポインタ処理部の構成を示す図であり、図２における無線側ポインタ処理部２−１４に対応する部分を示し、無線装置の他の部分は図示を省略している。図６の（Ａ）は送信側の構成を示す図であり、６−１はスタッフ処理部、６−２は送信ポインタ処理部、６−３はスタッフ判定ビット多重部である。又（Ｂ）は受信側の構成を示す図であり、６−４はスタッフ判定ビット多重分離部、６−５はポインタバイト多重分離部、６−６は受信ポインタ処理部、６−７はデスタッフ処理部ある。
【００６１】
図６の（Ａ）に示す送信側において、スタッフ処理部６−１は従来と同様のスタッフ処理を行い、スタッフ操作に対応したスタッフ判定ビットをスタッフ判定ビット多重部６−３に送出する。送信ポインタ処理部６−２は、ＳＴＭ−１信号に対して従来と同様のポインタ処理を行う。スタッフ判定ビット多重部６−３は、ポインタバイトＨ１，Ｈ２とは別にセクションオーバヘッド（ＳＯＨ）内の空きバイト、例えば、Ｅ１＃３，Ｄ２＃３に設けたスタッフ判定ビット位置にスタッフ判定ビットを分散配置して、次段に送出する。
【００６２】
スタッフ判定ビットによりスタッフ操作の有無を受信側に通知する一例を以下に示す。スタッフ操作無しの場合の通常時、図５のＩビット（８ビット分）及びＤビット（８ビット分）を全て“０”とする。ポジティブスタッフ操作の時、Ｉビット（８ビット分）を全て“１”とし、Ｄビット（８ビット分）をそのまま（全て“０”）とする。ネガティブスタッフ操作の時、Ｉビット（８ビット分）をそのまま（全て“０”）とし、Ｄビット（８ビット分）を全て“１”とする。
【００６３】
図６の（Ｂ）に示す受信側において、スタッフ判定ビット多重分離部６−４は、ＳＴＭ−１信号から前記スタッフ判定ビットを分離し、該スタッフ判定ビットをデスタッフ処理部６−７に送出する。又ポインタバイト多重分離部６−５は、ＳＴＭ−１信号から従来と同様にポインタバイトを分離し、受信ポインタ処理部６−６に送出する。
【００６４】
受信ポインタ処理部６−６は、ＳＴＭ−１信号に対して従来と同様にポインタ処理を行う。デスタッフ処理部６−７はスタッフ判定ビット多重分離部６−４からのスタッフ判定ビットを基に、受信ポインタ処理部６−６から出力されるＳＴＭ−１信号に対して従来と同様のデスタッフ処理を行う。
【００６５】
受信側におけるスタッフ判定の一例を以下に示す。前記Ｉビットの８ビット中５ビット以上が“１”で、前記Ｄビットの８ビット中５ビット以上が“０”の時、ポジティブスタッフ操作と判定する。前記Ｄビットの８ビット中５ビット以上が“１”で、Ｉビットの８ビット中５ビット以上が“０”の時、ネガティブスタッフ操作と判定する。上記以外はスタッフ操作無しと判定する。
【００６６】
上記スタッフ判定を行った結果、ポジティブスタッフ操作又はネガティブスタッフ操作のいずれにも該当しないとき、ポインタバイトによりポインタ値を算出し、ＳＴＭ−１フレームのペイロード内の多重化データの先頭位置を判別する。ポジティブスタッフ又はネガティブスタッフのスタッフ操作有りと判定したとき、そのＳＴＭ−１フレームに対してポジティブスタッフ又はネガティブスタッフに応じたデスタッフの処理を行うこととなるが、デスタッフ処理そのものは従来と同様の処理である。
【００６７】
図７は本発明の第４の実施の形態のスタッフ判定ビットの配置を示す図である。図において、７−１は前記ＳＴＭ−１のフレームに無線フレームコンプリメンタリオーバヘッド（ＲＦＣＯＨ) ７−２を付加した無線伝送フレームを示し、７−３は該無線伝送フレームの無線フレームコンプリメンタリオーバヘッド（ＲＦＣＯＨ）７−２に分散配置したスタッフ判定ビットを示す。
【００６８】
無線伝送フレーム７−１は複数のサブフレームに分割され、各サブフレームには第１及び第２の２ビットの無線フレームコンプリメンタリオーバヘッド（ＲＦＣＯＨ）（図において‘Ｓ’の記号で示している。）７−２が付加される。そして各サブフレームの第１及び第２の無線フレームコンプリメンタリオーバヘッド（ＲＦＣＯＨ）７−２には、例えば、第１，第２，第３のサブフレームに、ポインタを基に形成したスタッフ判定ビット‘ＩＤＩＤＩＤＩＤＩＤＩＤ’を配置する。この場合、スタッフ判定ビット７−３は１フレームの無線伝送フレーム７−１内に分散して配置されたこととなる。従って、バースト誤りによるポインタ処理の誤動作を低減することができる。
【００６９】
図８は本発明の第４の実施の形態の無線側ＡＵポインタ処理部の構成を示す図であり、図２の無線側ポインタ処理部２−１４に対応する部分を示し、無線装置の他の部分は図示を省略している。図８の（Ａ）は送信側の構成を示し、８−１は送信ポインタ処理／スタッフ処理部、８−２は無線伝送の伝送速度に変換する速度変換部、８−３は無線フレームコンプリメンタリオーバヘッド（ＲＦＣＯＨ）多重部、８−４はスタッフ情報抽出部、８−５はスタッフ判定ビット多重部である。
【００７０】
又、図８の（Ｂ）は受信側の構成を示し、８−６は無線フレームコンプリメンタリオーバヘッド（ＲＦＣＯＨ）多重分離部、８−７はスタッフ判定ビット多重分離部、８−８は無線伝送の伝送速度を元のＳＴＭ−１の伝送速度に変換する速度変換部、８−９は受信ポインタ処理／デスタッフ処理部である。
【００７１】
図８の（Ａ）において、送信ポインタ処理／スタッフ処理部８−１は、入力されたＳＴＭ−１信号に対し従来と同様のポインタ処理及びスタッフ処理を行い、速度変換部８−２は、ＳＴＭ−１信号をフレーム単位で無線伝送の伝送速度に変換し、無線フレームコンプリメンタリオーバヘッド（ＲＦＣＯＨ）多重部８−３は、ＳＴＭ−１フレームに無線伝送オーバヘッド、即ち、無線フレームコンプリメンタリオーバヘッド（ＲＦＣＯＨ）を付加する。
【００７２】
又、スタッフ情報抽出部８−４は、ＳＴＭ−１信号からスタッフ情報を分離し、該スタッフ情報をスタッフ判定ビット多重部８−５に送出し、スタッフ判定ビット多重部８−５は前記スタッフ情報抽出部８−４からのスタッフ判定ビットが、無線フレームコンプリメンタリオーバヘッド（ＲＦＣＯＨ）に分散配置されるよう、無線フレームコンプリメンタリオーバヘッド（ＲＦＣＯＨ）内のスタッフ判定ビット位置に配置し、この無線伝送オーバヘッドが付加されたＳＴＭ−１フレームは、図示を省略した無線送受信部から送信される。
【００７３】
前記速度変換部８−２による速度変換はフレーム単位で行い、スタッフ情報を当該フレームと同一のフレームに書込むことにより、受信側において１フレーム以内にデスタッフ処理を行うことができるようにする。
【００７４】
図８の（Ｂ）に示す受信側において、無線フレームコンプリメンタリオーバヘッド（ＲＦＣＯＨ）多重分離部８−６は、無線伝送フレーム信号から無線フレームコンプリメンタリオーバヘッド（ＲＦＣＯＨ）を分離し、スタッフ判定ビット多重分離部８−７は、分散配置されている無線フレームコンプリメンタリオーバヘッド（ＲＦＣＯＨ）内のスタッフ判定ビットを分離し、又、速度変換部８−８はフレーム単位に無線伝送フレーム信号の伝送速度をＳＴＭ−１信号の速度に変換し、受信ポインタ処理／デスタッフ処理部８−９は、該ＳＴＭ−１信号及び前記分離したスタッフ判定ビットの入力信号に対して、従来と同様のポインタ処理及びデスタッフ処理を行う。
【００７５】
スタッフ判定ビットによりスタッフ判定操作を受信側に通知する一例を以下に示す。スタッフ無しの場合の通常時、図７のＩビット（６ビット分）及びＤビット（６ビット分）を全て“０”とする。ポジティブスタッフ操作時、Ｉビット（６ビット分）を全て“１”とし、Ｄビット（６ビット分）をそのまま（全て“０”）とする。ネガティブスタッフ操作時、Ｉビット（６ビット分）をそのまま（全て“０”）とし、Ｄビット（６ビット分）を全て“１”とする。スタッフ判定以外のポインタ処理は従来通り行う。
【００７６】
受信側におけるスタッフ判定の一例を以下に示す。前記Ｉビットの６ビット中４ビット以上が“１”で、Ｄビットの６ビット中４ビット以上が“０”の時、ポジティブスタッフ操作と判定する。又、Ｄビットの６ビット中４ビット以上が“１”で、Ｉビットの６ビット中４ビット以上が“０”の時、ネガティブスタッフ操作と判定する。それ以外の場合は、スタッフ操作無しと判定する。
【００７７】
スタッフ判定を行った結果、ポジティブスタッフ操作又はネガティブスタッフ操作のいずれにも該当しないとき、ポインタバイトによりポインタ値を算出し、ＳＴＭ−１信号のペイロードの先頭データ位置を判別する。ス夕ッフ操作有りと判定したとき、そのフレームに対し、ポジティブスタッフ又はネガティブスタッフに応じたデスタッフの処理を行う。デスタッフ処理そのものは従来のデスタッフ処理と同様である。
【００７８】
次に、本発明の第５の実施の形態について説明する。この実施の形態は、無線フレームコンプリメンタリオーバヘッド（ＲＦＣＯＨ）にポインタを複数配置して送信し、受信側ではそれら複数のポインタに対して多数決判定を行い、ポインタを確定するものである。同一フレーム内の複数配置されたポインタが同じ様に誤る確率は非常に低い。従って、複数のポインタの多数決判定によって無線区間で発生するバースト性の誤りによるポインタ処理の誤動作の確率は低くなる。
【００７９】
図９は本発明の第５の実施の形態の無線側ＡＵポインタ処理部の構成を示す図である。同図の（Ａ）は送信側の構成を示し、９−１は送信ポインタ処理／スタッフ処理部、９−２は無線伝送の伝送速度に変換する速度変換部、９−３は無線フレームコンプリメンタリオーバヘッド（ＲＦＣＯＨ）多重部、９−４はポインタ多重分離部、９−５はポインタ多重部である。
【００８０】
又図９の（Ｂ）は受信側の構成を示し、９−６は無線フレームコンプリメンタリオーバヘッド（ＲＦＣＯＨ）多重分離部、９−７はポインタ多重分離部、９−８は無線伝送の伝送速度を元のＳＴＭ−１信号の伝送速度に変換する速度変換部、９−９はポインタバイト多重分離部、９−１０はポインタバイト多数決判定部、９−１１は受信ポインタ処理／デスタッフ処理部である。
【００８１】
図１０は本発明の第５の実施の形態の複数ポインタの配置例を示す図である。１０−１は１フレーム分の無線伝送フレームを示し、該無線伝送フレーム１０−１はＳＴＭ−１のフレームに、無線フレームコンプリメンタリオーバヘッド（ＲＦＣＯＨ）１０−２を付加したものである。１０−３１，１０−３２は無線フレームコンプリメンタリオーバヘッド（ＲＦＣＯＨ）１０−２に分散配置した第１及び第２のポインタを示す。
【００８２】
送信側において、送信ポインタ処理／スタッフ処理部９−１は、入力されたＳＴＭ−１信号に対して従来と同様のポインタ処理及びスタッフ処理を行う。速度変換部９−２はフレーム単位で無線伝送速度に速度変換を行う。無線フレームコンプリメンタリオーバヘッド（ＲＦＣＯＨ）多重部９−３は、無線フレームコンプリメンタリオーバヘッド（ＲＦＣＯＨ）をＳＴＭ−１信号に付加し、該信号をポインタ多重部９−５に出力する。
【００８３】
ポインタ多重分離部９−４は送信ポインタ処理／スタッフ処理部９−１から出力されるＳＴＭ−１信号からポインタバイトを抽出し、抽出したポインタバイトをポインタ多重部９−５に送出する。
【００８４】
ポインタ多重部９−５は無線フレームコンプリメンタリオーバヘッド（ＲＦＣＯＨ）多重部９−３により付加された無線フレームコンプリメンタリオーバヘッド（ＲＦＣＯＨ）に、ポインタ多重分離部９−４により抽出されたポインタと同一の第１のポインタ１０−３１及び第２のポインタ１０−３２を分散して書き込み、対向する無線装置に送信する。
【００８５】
一方、受信側において、無線フレームコンプリメンタリオーバヘッド（ＲＦＣＯＨ）多重分離部９−６は無線フレームコンプリメンタリオーバヘッド（ＲＦＣＯＨ）を抽出し、ポインタ多重分離部９−７は無線フレームコンプリメンタリオーバヘッド（ＲＦＣＯＨ）に分散配置されている第１のポインタ１０−３１及び第２のポインタ１０−３２を抽出し、ポインタバイトを再構築してポインタバイト多数決判定部に出力する。
【００８６】
又、速度変換部９−８はフレーム単位に速度変換を行いＳＴＭ−１信号にし、受信ポインタ処理／デスタッフ処理部に送出する。ポインタバイト多重分離部９−９はＳＴＭ−１信号のセクションオーバヘッド（ＳＯＨ）からポインタバイトＨ１，Ｈ２を抽出し、該ポインタバイトＨ１，Ｈ２をポインタバイト多数決判定部９−１０に出力する。
【００８７】
ポインタバイト多数決判定部９−１０は、ポインタバイト多重分離部９−９から出力されたセクションオーバヘッド（ＳＯＨ）のポインタバイトＨ１，Ｈ２と、ポインタ多重分離部９−７から出力された第１のポインタ１０−３１及び第２のポインタ１０−３２との間で多数決判定を行い、その結果得られるポインタバイトを正規のポインタバイトとし、受信ポインタ処理／デスタッフ処理部９−１１に送出する。受信ポインタ処理／デスタッフ処理部９−１１は、このポインタバイトによって、ＳＴＭ−１信号のペイロードの先頭位置を判断する。多数決判定後のポインタバイト処理は、従来の処理と同様である。
【００８８】
本発明の第５の実施の形態によれば、同一内容の複数のポインタを分散配置して送信し、且つ受信側装置においてそれら複数のポインタの間で多数決判定を行うことにより、前記複数のポインタのいずれかにバースト性の誤りが発生しても正しいポインタを検出することができるので、ポインタ処理の誤動作を低減することができる。
又、国際規格等でセクションオーバヘッド（ＳＯＨ）の未定義領域の使用に制約が加えられても、無線フレームコンプリメンタリオーバヘッド（ＲＦＣＯＨ）を使用しているため何ら問題とならない。
【００８９】
図１１は本発明の第５の実施の形態の送信部における処理の説明図である。前記送信ポインタ処理／スタッフ処理部９−１により送信ポインタの処理（１１−１）を行い、前記ポインタ多重分離部９−４によりポインタ値の検出（１１−２）を行い、多重セクションオーバヘッド（ＭＳＯＨ）の多重（１１−２）を行い、中継セクションオーバヘッド（ＲＳＯＨ）の多重（１１−３）を行う。
【００９０】
次に、前記のポインタ値を無線フレームコンプリメンタリオーバヘッド（ＲＦＣＯＨ）に複数配置して無線フレーム作成（速度変換）（１１−４）を行う。そして、無線伝送フレームの信号により搬送波の変調（１１−５）を行い、対向装置に無線信号により送信（１１−６）する。
【００９１】
ポインタ値Ａ及びポインタ値ＢのＳＴＭ−１フレーム１１−８，１１−９は、それぞれ無線フレームコンプリメンタリオーバヘッド（ＲＦＣＯＨ）を付加した無線伝送フレーム１１−１０，１１−１１として送信され、且つそれぞれの無線フレームコンプリメンタリオーバヘッド（ＲＦＣＯＨ）は、斜線で模式的に示した部分にＳＴＭ−１フレームのポインタと同一のポインタを複数載置して送信される。
【００９２】
図１２は本発明の第５の実施の形態の受信部における処理の説明図である。対向する送信装置から無線信号を受信（１２−１）して復調（１２−２）し、無線伝送フレームの検出（速度変換）（１２−３）を行う。このとき、無線伝送フレーム１２−１２，１２−１３の無線フレームコンプリメンタリオーバヘッド（ＲＦＣＯＨ）から第１のポインタ及び第２のポインタの検出（１２−９），（１２−１０）を行う。なお、無線伝送フレーム１２−１２，１２−１３の斜線部は、それぞれ第１及び第２のポインタが載置されている領域を模式的に示している。
【００９３】
次に、中継セクションオーバヘッド（ＲＳＯＨ）の分離（１２−４）を行い、多重セクションオーバヘッド（ＭＳＯＨ）の分離（１２−５）を行い、ＳＴＭ−１フレームをフレームメモリに記憶（１２−６）する。
【００９４】
フレームメモリは１フレームの記憶領域を有するとすると、ポインタＡのＳＴＭ−１フレーム１２−１４に引き続いてポインタＢのＳＴＭ−１フレーム１２−１５が入力されると、該ＳＴＭ−１フレーム１２−１４，１２−１５の斜線を施した１フレーム分のデータが順次格納される。
【００９５】
又、前記中継セクションオーバヘッド（ＲＳＯＨ）の分離（１２−４）においてＡＵポインタ部からポインタＡの検出（１２−８）を行い、このポインタＡと前記第１及び第２のポインタとの間で多数決判定（１２−１１）を行い、その判定結果により、受信ポインタの処理（１２−７）を行う。
【００９６】
本発明の第６の実施の形態について説明する。この実施の形態は、ポインタバイトＨ１，Ｈ２が指し示すペイロード内の多重化データの先頭位置であるＪ１バイトを用いてその内容によってスタッフ判定を行うものである。
【００９７】
同一のＳＴＭフレーム内のポインタバイトＨ１，Ｈ２とＪ１バイトとが同時に誤る確率は非常に低い。従って、ポインタバイトＨ１，Ｈ２によるスタッフ判定と、Ｊ１バイトによるスタッフ判定とを組み合わせることにより、スタッフ判定の精度を大きく向上させることができる。
【００９８】
このことは、これまで誤りに対する保護の無いスタッフ判定にとって極めて有効であり、結果的にはポインタバイトＨ１，Ｈ２とＪ１バイトとによってスタッフ判定に対する誤り保護を与えることとなる。
【００９９】
Ｊ１バイトはＳＴＭフレームのペイロードに収容されるバーチャルコンテナのパスオーバヘッド（ＰＯＨ）の先頭に配置されるバイトで、パス導通監視に使用され、パスの経路を示すトレースシグナルを形成する。
【０１００】
図１３はトレースシグナルのフレームフォーマットを示す図である。トレースシグナルのフレームフォーマットは、１６個のＳＴＭフレームのＪ１バイトにより１マルチフレームを構成する。同図において、Ｆ0 〜ＦF はマルチフレームインディケータビットで、所定のマルチフレームパターンを形成する。Ｃ1 〜Ｃ7 はＣＲＣ−７パリティビットで、Ｘ11〜ＸF7はパスの経路を示すトレースシグナルのデータで、ＡＳＣＩＩ等のキャラクタコードで表されたものである。
【０１０１】
図１４はＳＴＭ−１フレームにおけるＪｌバイトの配置を示す図である。同図において、１４−１はスタッフ操作無しのときのＳＴＭ−１フレームにおけるＪ１バイトの位置を示し、ポインタバイトＨ１，Ｈ２の値によって決定される。１４−２はネガティブスタッフ操作が行われたときのＪ１バイトの位置Ｊ１−ｎを示し、又、１４−３はポジティブスタッフ操作が行われたときのＪ１バイトの位置Ｊ１−ｐを示す。
【０１０２】
トレースシグナルの送信端局側は、図１３に示したフレームフォーマットに沿って設定したキャラクタコードＸ11〜ＸF7を送信する。一方、受信端局側は、トレースシグナルとして予測されるキャラクタコードを受信期待値として予め設定し、該受信期待値のキャラクタコードと実際に受信するトレースシグナルのキャラクタコードとを比較し、その比較結果をふまえてスタッフ判定を行う。
【０１０３】
図１５は本発明の第６の実施の形態の受信側の構成を示す図である。なお、送信側の構成及び処理は、従来のものと同様であるので図示を省略している。同図において、１５−１はポインタ多重分離部、１５−２はＪ１バイト抽出部、１５−３はＪ１−ｐバイト抽出部、１５−４はＪ１−ｎバイト抽出部、１５−５は受信期待値との比較部、１５−６はＪ１／Ｊ１−ｐ／Ｊ１−ｎバイトと受信期待値との一致を検出する一致検出部、１５−７は第１のスタッフ判断部、１５−８は第２のスタッフ判断部、１５−９はデスタッフ処理部である。
【０１０４】
ポインタ多重分離部１５−１は、従来と同様にポインタバイトＨ１，Ｈ２を分離抽出する。このポインタバイトＨ１，Ｈ２によって、Ｊ１バイトの位置及びスタッフ操作が行われたときの位置Ｊ１−ｐ，Ｊ１−ｎが特定され、Ｊ１バイト抽出部１５−２、Ｊ１−ｐバイト抽出部１５−３及びＪ１−ｎバイト抽出部１５−４は、それぞれの位置からＪ１バイト、Ｊ１−ｐバイト及びＪ１−ｎバイトを抽出する。
【０１０５】
受信期待値との比較部１５−５は、トレースシグナルのデータであるキャラクタコードとして予想される受信期待値と、前記抽出したＪ１バイト、Ｊ１−ｐバイト及びＪ１−ｎバイトとを比較し、一致検出部１５−６は、各Ｊ１バイト、Ｊ１−ｐバイト及びＪ１−ｎバイトについて一致・不一致を検出し、その結果を第２のスタッフ判断部１５−８に通知する。
【０１０６】
一方、第１のスタッフ判断部１５−７は、ポインタ多重分離部１５−１により抽出したポインタバイトＨ１，Ｈ２によって従来と同様のスタッフ判定を行い、その判定結果を前記第２のスタッフ判断部１５−８に通知する。
【０１０７】
第２のスタッフ判断部１５−８は、前記一致検出部１５−６から出力されるＪ１／Ｊ１−ｐ／Ｊ１−ｎバイトと受信期待値との一致・不一致の結果と、前記第１のスタッフ判断部１５−７から出力される判定結果とを基に、例えば、表（Ａ）又は表（Ｂ）に示すようにスタッフ判定を行う。
【０１０８】
【表１】
0003766943.tif 000002
【０１０９】
表（Ａ）は、一致検出部１５−６から出力されるＪ１／Ｊ１−ｐ／Ｊ１−ｎバイトと受信期待値との一致の結果と、第１のスタッフ判断部１５−７から出力される判定結果とが一致するときに、ポジティブ又はネガティブのスタッフ操作有りと判定し、それらが不一致のときはスタッフ操作無しと判定する例である。
表（Ｂ）は、一致検出部１５−６から出力されるＪ１／Ｊ１−ｐ／Ｊ１−ｎバイトと受信期待値との一致の結果を優先させてスタッフ判定する例を示している。
【０１１０】
なお、表（Ａ）及び表（Ｂ）による判定において、Ｊ１／Ｊ１−ｐ／Ｊ１−ｎの全てのバイトが受信期待値と不一致であったとき、Ｊ１／Ｊ１−ｐ／Ｊ１−ｎバイトにバーストエラーが発生したと判断し、第１の判断部１５−７の結果により判定する。又、Ｊ１／Ｊ１−ｐ／Ｊ１−ｎのバイトの内、２バイト以上が受信期待値と一致したときも、一致検出部１５−６の出力からはＪ１バイトの正しい位置を特定することができないので、第１の判断部１５−７の判定結果を優先させて判定する。
【０１１１】
このように、スタッフ判定にＪｌバイトのキャラクタコードを含め、該キャラクタコードと受信期待値との比較により、スタッフ操作を推定し、該推定とポインタバイトＨ１，Ｈ２が示すスタッフ操作とが合致しないときは、ポインタバイトＨ１，Ｈ２の１０ビットのポインタ値を示すビットにバーストエラーが発生したと判断し、ポジティブ又はネガティブのスタッフ処理は行わないようにする。従って、ポインタバイトＨ１，Ｈ２によるスタッフ処理に対して、ポインタバイトＨ１，Ｈ２にバーストエラーが発生しても、誤ったスタッフ処理を行う確率は減少し、スタッフ処理の誤動作を低減することができる。
【０１１２】
【発明の効果】
以上説明したように、本発明は、ポインタバイト又はスタッフ判定ビットを分散配置することにより、バースト誤りが発生した場合でも、ポインタバイト全体が誤ることはなくなり、従って、受信側におけるスタッフ処理を含むポインタ処理の誤動作を低減することができる利点がある。
【０１１３】
その場合に、ＳＴＭ−ｎフレームのセクションオーバヘッドＳＯＨの未使用バイト又はビット或いは未定義バイトを用いて分散配置することができ、ＳＴＭ−ｎの標準フォーマットを維持したまま伝送することができる。又無線伝送オーバヘッドＲＦＣＯＨに分散配置する場合は、ＳＴＭ−ｎフレームをそのままの状態として伝送することができ、受信側の処理が容易となる利点がある。
【０１１４】
又、同一内容の複数のポインタを分散配置して送信し、且つ受信側装置においてそれら複数のポインタの間で多数決判定を行うことにより、正しいポインタを検出することができ、ポインタ処理の誤動作を低減することができる。
更に、スタッフ判定にＪｌバイトのキャラクタコードを含め、該キャラクタコードと受信期待値との比較によりスタッフ操作を推定してスタッフ判定を行うことにより、スタッフ処理の誤動作を低減させることができる。
【図面の簡単な説明】
【図１】本発明の第１の実施の形態のポインタ配置を示す図である。
【図２】本発明の第１の実施の形態のＳＤＨ対応無線装置の要部説明図である。
【図３】本発明の第２の実施の形態のポインタ配置を示す図である。
【図４】本発明の第２の実施の形態の無線側ＡＵポインタ処理部の構成を示す図である。
【図５】本発明の第３の実施の形態のスタッフ判定ビットの配置を示す図である。
【図６】本発明の第３の実施の形態の無線側ＡＵポインタ処理部の構成を示す図である。
【図７】本発明の第４の実施の形態のスタッフ判定ビットの配置を示す図である。
【図８】本発明の第４の実施の形態の無線側ＡＵポインタ処理部の構成を示す図である。
【図９】本発明の第５の実施の形態の無線側ＡＵポインタ処理部の構成を示す図である。
【図１０】本発明の第５の実施の形態の複数ポインタの配置例を示す図である。
【図１１】本発明の第５の実施の形態の送信部における処理の説明図である。
【図１２】本発明の第５の実施の形態の受信部における処理の説明図である。
【図１３】トレースシグナルのフレームフォーマットを示す図である。
【図１４】ＳＴＭ−１フレームにおけるＪｌバイトの配置を示す図である。
【図１５】本発明の第６の実施の形態の受信側の構成を示す図である。
【図１６】ＳＤＨインタフェース対応の無線装置の構成を示す図である。
【図１７】ＳＤＨインタフェース対応の無線装置の要部説明図である。
【図１８】ＳＴＭ−１のフレームフォーマット及びポインタバイトＨ１，Ｈ２バイトの説明図である。
【図１９】ポインタ処理に影響するバースト誤りの説明図である。
【図２０】スタッフ処理に影響するバースト誤りの説明図である。
【符号の説明】
ＳＯＨ  セクションオーバヘッド
ＲＳＯＨ  中継セクションオーバヘッド
ＭＳＯＨ  多重セクションオーバヘッド
Ｈ１〜Ｈ３  ＡＵポインタ
Ｅ１＃３，Ｄ２＃３，Ｈ２＃３，Ｋ１＃３，Ｄ５＃３，Ｄ８＃３，Ｄ１１＃３未使用バイト
Ｎ  ニューデータフラグ
Ｓ  ＳＳビット
Ｉ，Ｄ  ポインタビット
【図１】
0003766943.tif 000003
【図２】
0003766943.tif 000004
【図３】
0003766943.tif 000005
【図４】
0003766943.tif 000006
【図５】
0003766943.tif 000007
【図６】
0003766943.tif 000008
【図７】
0003766943.tif 000009
【図８】
0003766943.tif 000010
【図９】
0003766943.tif 000011
【図１０】
0003766943.tif 000012
【図１１】
0003766943.tif 000013
【図１２】
0003766943.tif 000014
【図１３】
0003766943.tif 000015
【図１４】
0003766943.tif 000016
【図１５】
0003766943.tif 000017
【図１６】
0003766943.tif 000018
【図１７】
0003766943.tif 000019
【図１８】
0003766943.tif 000020
【図１９】
0003766943.tif 000021
【図２０】
0003766943.tif 000022